(57)【要約】【課題】全閉時に防潮機能を有する建築用防潮シャッターにおいて、防潮用スラット５、６が浸水等により損傷を受けた場合に、容易に交換できるようにする。【解決手段】ガイドレール２の屋外側板面部２ｂに切欠き２ｃを形成し、該切欠き２ｃを塞ぐ塞ぎ板２ｄを屋外側に突出したものとし、該塞ぎ板２ｃの内側にカーテン全閉時にシャッターカーテン２を屋内側板面部２ｅ側に向けて押圧して防潮機能を発揮する膨張部材１３を着脱自在に設けて、防潮用スラット５、６を交換する場合に、防潮部材１３を取り外して塞ぎ板２ｄの屋内側部位を幅広空間Ｓとし、この空間Ｓを利用して防潮用スラットを交換できるようにする。【選択図】図８
2015101939.tif 000002
【特許請求の範囲】
【請求項１】
複数枚のスラットを一連状に結合して形成したシャッターカーテンの左右両端部を、開口部に設けた左右ガイドレールのレール溝に遊嵌状に昇降案内させることで開口部の開閉を行うように構成した建築用シャッター装置において、シャッターカーテン最下端の座板を含めた複数枚の防潮用スラットの左右両端部を、屋内外方向何れか一方に押圧することでガイドレールの屋内外側板面部の一方側に水密状に当接させて防潮機能を発揮できるように構成するにあたり、前記防潮用スラットの少なくとも一枚を押圧して前記防潮機能を発揮させるための防潮手段は、ガイドレールの防潮用スラット押圧側板面部を切欠いた切欠き部を屋内外方向に幅広空間ができる状態で塞ぐ塞ぎ板のスラット対向面に着脱自在に設けられたものであり、隣接する防潮用スラット同士を結合する上下結合部は、隣接する防潮用スラット同士の前記レール溝の範囲での折曲では係脱できないが、該レール溝の範囲を越え、前記防潮手段を取り外すことで塞ぎ板の内側に形成される幅広空間の範囲で上下防潮用スラット同士を屋内外方向に折曲することで係脱できるように構成されていることを特徴とする建築用防潮シャッター装置。
【請求項２】
防潮手段は、上下方向に複数設けられていて複数枚の防潮用スラットを押圧するように構成されていることを特徴とする請求項１記載の建築用防潮シャッター装置。
【請求項３】
防潮手段は、各防潮用スラットに対応して設けられていることを特徴とする請求項１または２記載の建築用防潮シャッター装置。
【請求項４】
防潮用スラットより上側のスラットは汎用スラットであり、最上端の防潮用スラットと最下端の汎用スラットとは着脱自在に連結されていることを特徴とする請求項１乃至３の何れか１記載の建築用防潮シャッター装置。
【請求項５】
水密状に当接する防潮用スラットとガイドレールの屋内外側板面部の一方側とのあいだにはシール材が介装されていることを特徴とする請求項１乃至４の何れか１記載の建築用防潮シャッター装置。
【請求項６】
防潮用スラットが水密状に当接するガイドレールの屋内外側板面部の一方側には、防潮用スラットを他方側に向けて押圧する第二の防潮手段が設けられていることを特徴とする請求項１乃至４の何れか１記載の建築用防潮シャッター装置。
【発明の詳細な説明】
【技術分野】
【０００１】
本発明は、ビル等の建築物の出入り口に設けられる防潮（防水）機能を備えた建築用防潮シャッター装置の技術分野に関するものである。
【背景技術】
【０００２】
一般に、ビル等の建築物の出入り口に設けられる建築用シャッターのなかには、隣接するスラット同士の上下端縁を離接自在に連結することで一連状のシャッターカーテンを形成し、該シャッターカーテンの左右両端部を躯体側に設けたガイドレールに上下昇降案内させることで出入り口の開閉をするようにしたものがある。このようなシャッターカーテンは、閉姿勢となったときのスラット同士の当接部に隙間があることやシャッターカーテンの左右両端部がガイドレールに遊嵌していること等が原因となって防潮機能が殆どなく、水害に遭遇した場合に水が建築物内に簡単に浸入してしまうという問題がある。
そこで隣接スラット同士の上下当接部については、閉姿勢となったときに圧密状に押圧されてシールをするシール材を設けて防潮機能を発揮するようにしたものがあり（例えば特許文献１、４参照）、またシャッターカーテンとガイドレールとのあいだの隙間については閉姿勢となったときシャッターカーテンをガイドレールに押圧して塞ぐことで防潮機能を持たせるようにしたものが知られている（例えば特許文献２、３、４参照）。
【先行技術文献】
【特許文献】
【０００３】
【特許文献１】特開平６−５００６５号公報
【特許文献２】実公平７−８７８５号公報
【特許文献３】実公平４−５５１８８号公報
【特許文献４】特開２００３−２７８４５８号公報
【発明の概要】
【発明が解決しようとする課題】
【０００４】
ところでこのように防潮機能を発揮するものにおいて、実際に出水に遭遇した場合、冠水部分のシャッターカーテンに流木等の流動物が当たることがあり、これによってシャッターカーテンが損傷した場合に、シャッターカーテンを交換する等して補修することになるが、このようなときのシャッターカーテンの損傷は主に冠水した部分であり、損傷を受けていない部分までも交換することは無駄が多いこととなるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、複数枚のスラットを一連状に結合して形成したシャッターカーテンの左右両端部を、開口部に設けた左右ガイドレールのレール溝に遊嵌状に昇降案内させることで開口部の開閉を行うように構成した建築用シャッター装置において、シャッターカーテン最下端の座板を含めた複数枚の防潮用スラットの左右両端部を、屋内外方向何れか一方に押圧することでガイドレールの屋内外側板面部の一方側に水密状に当接させて防潮機能を発揮できるように構成するにあたり、前記防潮用スラットの少なくとも一枚を押圧して前記防潮機能を発揮させるための防潮手段は、ガイドレールの防潮用スラット押圧側板面部を切欠いた切欠き部を屋内外方向に幅広空間ができる状態で塞ぐ塞ぎ板のスラット対向面に着脱自在に設けられたものであり、隣接する防潮用スラット同士を結合する上下結合部は、隣接する防潮用スラット同士の前記レール溝の範囲での折曲では係脱できないが、該レール溝の範囲を越え、前記防潮手段を取り外すことで塞ぎ板の内側に形成される幅広空間の範囲で上下防潮用スラット同士を屋内外方向に折曲することで係脱できるように構成されていることを特徴とする建築用防潮シャッター装置である。
請求項２の発明は、防潮手段は、上下方向に複数設けられていて複数枚の防潮用スラットを押圧するように構成されていることを特徴とする請求項１記載の建築用防潮シャッター装置である。
請求項３の発明は、防潮手段は、各防潮用スラットに対応して設けられていることを特徴とする請求項１または２記載の建築用防潮シャッター装置である。
請求項４の発明は、防潮用スラットより上側のスラットは汎用スラットであり、最上端の防潮用スラットと最下端の汎用スラットとは着脱自在に連結されていることを特徴とする請求項１乃至３の何れか１記載の建築用防潮シャッター装置である。
請求項５の発明は、水密状に当接する防潮用スラットとガイドレールの屋内外側板面部の一方とのあいだにはシール材が介装されていることを特徴とする請求項１乃至４の何れか１記載の建築用防潮シャッター装置である。
請求項６の発明は、防潮用スラットが水密状に当接するガイドレールの屋内外側板面部の一方側には、防潮用スラットを他方側に向けて押圧する第二の防潮手段が設けられていることを特徴とする請求項１乃至４の何れか１記載の建築用防潮シャッター装置である。
【発明の効果】
【０００６】
請求項１の発明とすることにより、防潮用スラットの左右両端部を、防潮手段による押圧によりガイドレールの屋内外側板面部の何れか一方に水密状に当接させることで防潮機能を発揮できるものでありながら、防潮手段を取付けるためのガイドレール切欠き部を塞ぐ塞ぎ板から防潮手段を取り外すことで上下結合部の係脱ができることになって防潮用スラットの交換が簡単にできることになる。
請求項２、３の発明とすることにより、シャッターカーテンの左右両端部の防潮機能がより高くなる。
請求項４の発明とすることにより、防潮用スラットの全てを必要において係脱することができる。
請求項５の発明とすることにより、水密状に当接する防潮用スラットとガイドレールの屋内外側板面部の一方とのあいだの水密性が向上する。
請求項６の発明とすることにより、水密性が一段と向上する。
【図面の簡単な説明】
【０００７】
【図１】（Ａ）（Ｂ）は建築用防潮シャッター装置の正面図、断面側面図である。
【図２】（Ａ）（Ｂ）（Ｃ）はシャッターカーテンの要部正面図、要部断面側面図、防潮用スラットと汎用スラットとを分離した状態を示す断面図である。
【図３】（Ａ）（Ｂ）は半開状態のシャッターカーテンの要部断面側面図、ガイドレール部位の要部断面側面図である。
【図４】（Ａ）（Ｂ）は全閉状態のシャッターカーテンの要部断面側面図、ガイドレール部位の要部断面側面図である。
【図５】床面側スラットの端部位の分解斜視図である。
【図６】（Ａ）〜（Ｅ）はインターロック結合部の半開状態の断面図、全閉状態の断面図、巻取りドラム巻装状態の断面図、取り外し途中状態の断面図、取り外した状態の断面図である。
【図７】（Ａ）（Ｂ）（Ｃ）はシャッターカーテン部位の水平断面図、防潮部材を取り外した状態を示す水平断面図、スラットを取り外した状態を示す水平断面図である。
【図８】（Ａ）（Ｂ）は防潮用スラットを取り外す過程を示す断面側面図である。
【図９】（Ａ）（Ｂ）は第二、第三の実施の形態のガイドレール部位を示す断面側面図である。
【図１０】（Ａ）（Ｂ）は第四、第五の実施の形態の防潮部位を示す断面平面図である。
【発明を実施するための形態】
【０００８】
以下、本発明の実施の形態について、図面に基づいて説明する。図面において、１は建築用シャッターのシャッターカーテンであって、該シャッターカーテン１は、左右両端部が開口部（出入り口）の左右両端部に設けたガイドレール２のレール溝２ａに遊嵌し、シャッターケース３に内装した巻取りドラム４に巻装されるようになっており、そして巻取りドラム４の正逆回転に基づいてシャッターカーテン１の上下開閉作動を行うようになっていること等は、何れも従来通りである。
【０００９】
前記シャッターカーテン１は、ボトム（最下端）の座板５と、該座板５から上に複数枚（本実施例では座板５を含めて下から５枚目まで）連結される下側の床面側スラット６とはホロー型（筒型）となっており、この床面側スラット６よりも上側のスラット７は一枚板を折り曲げ形成した汎用のスラットで構成されている。ここで座板５および床面側スラット６は、後述するように防潮機能を備えるものであり、座板５、床面側スラット６を個々に説明する場合を除いて、以降、これらスラット５、６を防潮用スラット５、６という。
【００１０】
前記汎用のスラット７は、板材を折曲形成して構成されたものであり、上下に隣接するもの同士の屋内側上下縁部に形成の上下インターロック結合部７ａ、７ｂにより前後方向（屋内外方向）揺動自在に連結されているが、これらインターロック結合部は７ａ、７ｂはガイドレール２のレール溝２ａ内に遊嵌して上下動する構成になっている。
【００１１】
これに対し、前記防潮用スラット５、６同士は、同じく屋内側上下縁部に形成の上下インターロック結合部５ａ、６ａ、６ｂにより前後方向揺動自在に連結されているが、該インターロック結合部５ａ、６ａ、６ｂは左右両端部が切除されることで、レール溝２ａにはホロー部（本体部）５ｂ、６ｃが遊嵌しない状態になっており、インターロック結合部５ａ、６ａ、６ｂのレール溝２ａへの遊嵌はなく、レール溝２ａの屋内側面よりも屋内側に突出する設定になっている。
【００１２】
次に防潮用スラット５、６のインターロック結合部５ａ、６ａ、６ｂの連結構造について説明をするがここでは便宜上、インターロック結合部６ａ、６ｂの結合構造について、図６、図８を参照して説明する。上側インターロック結合部６ａは、逆レ字形に折曲形成され、屋内側の先端部が円柱状になっている一方、下側インターロック部６ｂは、屋外側下端部が開口したＣ字形をしていて上側インターロック部６ａが遊嵌状に嵌入している。そして、図６（Ａ）のものはシャッターカーテン１が半開状態になったときのインターロック結合部６ａ、６ｂの結合状態を示したものであって、上側インターロック結合部６ａの先端部が下側インターロック結合部６ｂの下片に係止することで、図３に示すように上側スラット６に対して下側スラット６が間隙を存した垂下状態となっている。これに対し、シャッターカーテン１が全閉姿勢になると、図６（Ｂ）に示すように上側インターロック結合部６ａの先端部が下側インターロック結合部６ｂの下片から浮き上がった姿勢となり、図４に示すように上側スラット６と下側スラット６とは当接状態となっている。
さらにシャッターカーテン１は巻取りドラム４に巻き取られるが、このときのインターロック結合部６ａ、６ｂは、図６（Ｃ）に示すように、上側インターロック結合部６ａの先端部が下側インターロック結合部６ｂの下片に係止した姿勢を維持しながら隣接スラット６同士が折曲するようになっている。
次に下側スラット６を上側スラット６から外す工程が図６（Ｄ）（Ｅ）に示されているが、これは前記スラット６同士が垂下する図６（Ａ）の姿勢、あるいは当接する図６（Ｂ）の姿勢から下側スラット６を上側スラット６に対し屋内側に大きく折曲させると、上側インターロック部６ａの先端部が下側インターロック部６ｂの開口から抜け出ることになり、これによって下側スラット６を上側スラット６から取り外せることになり、この逆操作をすることで下側スラット６を上側スラット６に連結できるようになっている。
【００１３】
因みに本実施の形態の床面側スラット６は、上下インターロック部６ａ、６ｂが形成されたホロー部６ｃと、ホロー部６ｃの上下端面に止着される後述の上下側シール材８、９と、ホロー部６ｃの左右両端部に左右方向外側から突き当て状に組付けられる端部材６ｅと、該端部材６ｅに形成の貫通孔６ｆを貫通してホロー部６ｃにまで嵌入する嵌入部６ｇが左右方向内側に形成された補助部材６ｈと、該補助部材６ｈの左右方向外方から挿入され、貫通孔６ｆを貫通してホロー部６ｃに形成のビスポケット６ｉに螺入して端部材６ｅ、補助部材６ｈを固定するためのビス６ｊとを用いて構成されている。
【００１４】
そして上下隣接する防潮用スラット５、６同士は、端部材６ｅのレール溝２ａに遊嵌する範囲（ガイドレール２の切欠き部２ｃよりも上部位であって、シャッターカーテン１が全閉状態となっているときのガイドレール２の汎用スラット７位置での端部材６ｅのレール溝２ａへの遊嵌）の前後揺動ではインターロック結合部５ａ、６ａ、６ｂの結合は外れることはないが、端部材６ｅのレール溝２ａに遊嵌する範囲を超えた前後揺動では図８に示すようにインターロック結合部５ａ、６ａ、６ｂの結合が外れるように設定されている。
【００１５】
８、９は前記防潮用スラット５、６の上下対向面に取付けられる上下のシール材であって、該シール材８、９は、シャッターカーテン１が巻取りドラム４に巻き込まれていて、防潮用スラット５、６同士がインターロック結合部５ａ、６ａ、６ｂで揺動して互いに折曲している状態では離間しているが、ガイドレール２に案内されてシャッターカーテン１が面一状になっている半開状態では、自重垂下により下側インターロック部６ｂが上側インターロック部５ａ、６ａの下側片に当接することになって僅かに間隙を存して上下に対向し（図３参照）、そして全閉状態になっているときには上側のシャッターカーテンの自重を受けることになって前述したように下側インターロック部６ｂが上側インターロック部５ａ、６ａの上側片側に移動して上側シャッターカーテン１の自重を受けて弾圧状に当接し、これによって防潮用スラット５、６間の防潮機能を発揮できるようになっている（図４参照）。
【００１６】
さらに座板５の下面は、屋外側に向けて突出した第一突出部５ｃが形成され、該第一突出部５ｃに座板用シール材１０が設けられているが、該座板用シール材１０は下部が負荷を受けた場合に変形する変形部１０ａになっているが、該変形部１０ａは本実施の形態では襞状になっていてシャッターカーテン１が全閉したときに床面に弾圧状に当接して変形し防潮機能を発揮できるようになっている。
【００１７】
さらに本実施の形態においては、座板５の屋内側下部に下方が開口した第二突出部５ｄが形成され、該第二突出部５ｄに、障害物検知をする座板スイッチ１１が上下方向移動自在に内嵌されているが、該座板スイッチ１１は、座板スイッチ１１の上面と第二突出部５ｄの天面とのあいだに介装した弾機１１ａにより第二突出部５ｄから下方に突出する方向に付勢されており、そしてシャッターカーテン１が全閉した場合に、床面に当接することで弾機１１ａの付勢力に抗して上動するように構成されている。尚、１１ｂは弾機１１ａで付勢されている座板スイッチ１１が第二突出部５ｄから抜け出るのを規制するストッパ片である。
因みに、前記第一、第二突出部５ｃ、５ｄは防潮用スラット５、６の上下インターロック部５ａ、６ａ、６ｂと同様ガイドレール２のガイド溝２ａには嵌入しないよう左右両端部が切除されており、これら突出部５ｃ、５ｄに組み込まれる座板用シール材１０、座板スイッチ１１についても同様にレール溝２ａには嵌入しない設定になっている。
【００１８】
また、最上段の防潮用スラット６の上端部に形成される第一連結部６ｄと最下端の汎用スラット７の下端部に形成される第二連結部７ｃとは、連結具（本実施の形態ではボルト−ナット）１２を介して着脱自在に連結できるようになっている（図２（Ｃ）参照）。そして防潮用スラット６と汎用スラット７とを外すことで、非常時の脱出ができるようになっている。
【００１９】
一方、前記ガイドレール２は、左右方向内側が開口した水平断面ハット型をしているが、屋外側板面部２ｂは、シャッターカーテン１の全閉姿勢において床部（下端部）から前記防潮用スラット５、６のうちの最上段の床面側スラット６の上端部に至るまでのあいだ、シャッターカーテン１の左右両端よりも少し左右方向外方に幅広となった切欠き部２ｃが形成されている。そしてこの切欠き部２ｃには、該切欠き部２ｃを塞ぐための塞ぎ板２ｄが設けられているが、該塞ぎ板２ｄは、前述したように全閉または半開姿勢のシャッターカーテン１の隣接する防潮用スラット５、６同士について下側スラット５または６を上側スラット６に対してレール溝２ａに遊嵌する範囲を超えて屋内側に折り曲げ揺動することができ、これによって前述したようにインターロック結合部５ａ、６ａ、６ｂの結合を係脱できるよう屋内側に向けて幅広空間Ｓを形成する設定になっている。
【００２０】
１３は防潮用スラット５、６をガイドレール２の屋外側板面部２ｅに水密状に押圧するための防潮部材（防潮手段）であって、該防潮部材１３は、屋内側が開口した平面視でコ字形をし、図示しないビス等の固定部材を介して塞ぎ板２ｄの内面に着脱自在に固定される支持材１３ａと、該支持材１３ａに屋内外方向移動自在に組み込まれるブラケット１３ｂと、支軸１３ｃを介して転動自在に軸支される押圧ローラ１３ｄと、ブラケット１３ｂを支持材１３ａに対して屋内側に向けて付勢する弾機１３ｅとを備えて構成され、前記支軸１３ｃが支持材１３ａに形成の長孔１３ｆに屋内外方向移動自在に嵌合している。
【００２１】
そして前記塞ぎ板２ｄに取付けられた防潮部材１３は、本実施の形態では座板５を屋外側に向けて押圧することで防潮用スラット５、６をガイドレール２の屋内側板面部２ｅに押圧状に当接して水密性を確保するものであり、そのため端部材６ｅにシール材２ｆが設けられている。さらに防潮部材１３は、座板５が床面に当接していないシャッターカーテン１の全開または半開状態のときには、弾機１３ｅの付勢力を受けて支軸１３ｃが長孔１３ｆの屋内側端に当接して押圧ローラ１３ｄが座板５の屋外側面よりも屋内側に突出する姿勢になっているが、シャッターカーテン１が全閉状態に近くなって座板５が押圧ローラ１３ｄに当接すると、押圧ローラ１３ｄは弾機１３ｅの付勢力を受けて防潮用スラット５、６を屋内側に移動させてシール材２ｆに当接し、これによって防潮機能を発揮できるようになっている。因みにシール材２ｆは、防潮用スラット５、６側でなくガイドレール２側に設けてもよい。
【００２２】
叙述の如く構成された本実施の形態において、シャッターカーテン１を全閉した場合に、防潮部材１３を構成する押圧ローラ１３ｄが弾機１３ｅの付勢力を受けて座板５を室内側に向けて押圧することになって防潮用スラット５、６の左右両端部の端部材６ｅに設けたシール材２ｆがガイドレール２の屋内側板面部２ｅを弾圧して防潮用スラット５、６の左右両端部の水密性が確保され、また、座板５の下端部に設けた座板用シール材１０が床面に弾圧することになって床面と座板５とのあいだの水密性が確保され、さらに防潮用スラット５、６間については上下シール材８、９が互いに押圧状に当接することになって水密性が確保され、これによって防潮用スラット５、６の最上段までの防潮機能が発揮される。
【００２３】
このように本発明が実施されたものにおいては、シャッターカーテン１の下側に設けた防潮用スラット５、６により防潮機能が発揮されることになるため、水害が発生した場合において屋内への浸水を防止することができる。このような防潮用スラット５、６が水害時に流木等が当たったりして傷付いたような場合には、まず防潮部材１３を塞ぎ板２ｄから取り外すことで防潮部材１３を塞ぎ板２ｄから取り外すことができ、これにより塞ぎ板２ｄとガイドレール屋内側板面部２ｅとのあいだに屋内外方向に広幅空間Ｓが形成される。この広幅空間Ｓを利用して座板５を直上の床面側スラット６に対して屋内側に折曲すると、上下インターロック結合部５ａ、６ｂが外れることになり、該外れた座板５を左右何れか一方に移動させて移動端部位を該側のガイド溝２ａに侵入させると座板５の他端部位が塞ぎ板２ｄの左右内端縁から外れ、該外れた他端部位を塞ぎ板２ｄから引き出すように移動させることで座板５を取出すことができる。
同様にして床面側スラット６についても、下側のものから順次取り出すことができ、最上段の床面側スラット６については、連結具１２を取り外すことで最下段の汎用スラット７から取り外すことができ、この逆操作をすることで防潮用スラット５、６の交換をすることが簡単にできる。
【００２４】
尚、本発明は前記実施の形態に限定されるものでないことは勿論であって、防潮部材１３は屋外側ではなく、屋内側に設けることもできるが、屋外側に設けた場合には出水した水の水圧を受けることになって膨張部材１３の防潮機能を緩やかにしたものであっても優れた防潮機能を発揮することができ、都合がよい。さらに、防潮部材１３は、切欠き部２ｃの大きさ（高さ）を任意に設定することで防潮高さを自由に設定することができる。さらにまた前記実施の形態では膨張部材１３が屋外側において露出しているため外観を損なうことになるが、これについては塞ぎ板２ｄの先端部を補助板で塞ぐ等することで対応できる。また防潮部材１３は、座板５を弾圧するだけでなく、上側の床面側スラット６を押圧するように設けてもよく、さらには防潮部材１３を上下方向に複数設けて複数の防潮用スラット５、６を押圧するように構成してもよく、この場合、図９（Ａ）（Ｂ）に示す第二、第三の実施の形態のようにすべての防潮用スラット５、６を押圧するようにしても勿論よい。この場合に、膨張部材１３による防潮用スラット５、６の押圧位置をホロー部５ｂ、６ｃに設けた凸部５ｅ、６ｋ位置としたもの（図９（Ａ））や、上下シール材８、９に設けた凸部８ａ、９ａ位置としたもの（図９（Ｂ））とすることができる。
さらには、図１０（Ａ）の第四の実施の形態のように、ガイドレール２の屋内側板面部２ｅにシール材２ｆを設けるにあたり、該屋内側板面部２ｅを切り欠いて屋外側と同様塞ぎ板２ｄを設け、該屋内側塞ぎ板２ｄに、シール材２ｆをビス２ｇの出没調整によりブラケット２ｈに対して出没できるように構成し、これによって第二の防潮部材を構成し、防潮部材１３による押圧力を調整できるように構成することができ、さらには図１０（Ｂ）に示す第五の実施の形態のように、操作体１４の起倒操作に伴うカム１４ａの転動に基づいて出没するシール材１４ｂとして第二の防潮部材を構成することもできる。
【産業上の利用可能性】
【００２５】
本発明は、ビル等の建物の開口部に建て付けられる建築用防潮シャッター装置として利用することができる。
【符号の説明】
【００２６】
１  シャッターカーテン
２  ガイドレール
２ｃ  切欠き
２ｄ  塞ぎ板
５  座板（防潮用）スラット
６  床面側（防潮用）スラット
１３  防潮部材
【図１】
2015101939.tif 000003
【図２】
2015101939.tif 000004
【図３】
2015101939.tif 000005
【図４】
2015101939.tif 000006
【図５】
2015101939.tif 000007
【図６】
2015101939.tif 000008
【図７】
2015101939.tif 000009
【図８】
2015101939.tif 000010
【図９】
2015101939.tif 000011
【図１０】
2015101939.tif 000012